(57)【要約】【課題】本発明は、牽引用紐と空気圧送法とを併用して、光ケーブルを、スムーズに空気圧送用パイプケーブルのパイプ中に挿通させるケーブルの空気圧送法を提供するものである。【解決手段】本発明は、抗張力体繊維からなる線条体の外周に発泡樹脂層を施した牽引用紐１０を、空気圧送法により空気流と共に、空気圧送用パイプ２０に挿通させた後、この挿通された牽引用紐１０の終端をケーブル３０の先端に結合させ、牽引用紐１０を牽引すると同時に、空気圧送用パイプ２０に導かれたケーブル３０を、空気圧送法により空気流と共に挿通させるケーブルの空気圧送法にあり、牽引用紐による牽引力と空気流による推進力の両方により、極めてスムーズな挿通が得られる。【選択図】  図４
2004246176.tif 000002
【特許請求の範囲】
【請求項１】
抗張力体繊維からなる線条体の外周に発泡樹脂層を施してなることを特徴とする牽引用紐。
【請求項２】
前記請求項１記載の牽引用紐を、空気圧送法により空気流と共に、細径パイプに挿通させることを特徴とする紐挿通法。
【請求項３】
前記請求項１記載の牽引用紐を、空気圧送法により空気流と共に、細径パイプに挿通させた後、当該挿通された牽引用紐の終端をケーブルの先端に結合させ、前記牽引用紐を牽引すると同時に、前記細径パイプに導かれたケーブルを、空気圧送法により空気流と共に挿通させることを特徴とするケーブルの空気圧送法。
【請求項４】
前記ケーブルが、光ケーブルであることを特徴とする請求項３記載のケーブルの空気圧送法。
【発明の詳細な説明】
【０００１】
【産業上の利用分野】
本発明は、光ファイバユニットなどの光ケーブルの牽引用紐、この紐を細径パイプ中に通す紐挿通法、及び空気圧送用パイプケーブルのパイプ中に光ケーブルを挿通させるケーブルの空気圧送法に関するものである。
【０００２】
【従来の技術】
近年、インターネットなどの普及により通信需要は益々増大する傾向にある。このような状況下において、空気圧送用パイプケーブルという、通常複数本の空気圧送用パイプを有するケーブルを、予め建物や所定の洞道などに布設することが行われている。このケーブルでは、通信量の増加などに合わせて、後から空の不使用の空気圧送用パイプ中に光ファイバユニットなどの光ケーブルを、空気圧送法により、挿通することができる。
【０００３】
このような目的の空気圧送用パイプケーブルとしては、種々の構造のものが既に提案されているが、例えば複合形のものとして、中心部分の抗張力体（テンションメンバ）の外方に複数本の空気圧送用パイプを撚り合わせて集合させたケーブルがある（特許文献１参照）。
【０００４】
【特許文献１】
特開平１１−１４９０２２号公報（１〜２頁、図２）
【０００５】
【発明が解決しようとする課題】
このような空気圧送用パイプケーブルにおいて、その空気圧送用パイプ中に、空気圧送法だけで所定の光ケーブルを挿通することは、その布設ルートによっては、即ち、ルート長さが長い場合、段差などの高低差や曲がりなどが大きい場合には、スムーズに挿通することができないという問題があった。
【０００６】
このため、空気流による推進力だけでなく、予め空気圧送用パイプ中に牽引用紐を通しておき、これと併用することが考えられるが、空気圧送用パイプの場合、その内径が小さく、通常６ｍｍ程度であるため、柔らかい紐では、紐自体の挿通が困難となる。かといって、伸直性の強い紐やＦＲＰ（強化プラスチック）のような剛性のある線条体などでは、布設ルートの直線部分での通りはよいが、段差や曲がりなどのある部分などでは、引っ掛かるなどして挿通が著しく低下するというの問題がある。
【０００７】
しかも、近年の回線需要の増加に伴い、光ファイバユニットにおいて、光ファイバ心線数が増加し、ユニットの外径、質量が増加する傾向にある。そして、ユニットの外径が大きくなって、パイプ内径に接近するほど通りが悪くなり、また、質量が大きくなるほど挿通性が低下する。
【０００８】
このため、空気圧送法だけによる場合には、より短い圧送距離しか得られなくなったり、より小さい線速でしか挿通できなくなり、作業効率の低下を招くなどの重大な問題が生じる。
【０００９】
本発明は、このような従来の実情に鑑みてなされたもので、空気圧送用パイプのような細径パイプへの挿通がスームズにできる牽引用紐、即ち、抗張力体繊維からなる線条体の外周に発泡樹脂層を施してなる独自構造の紐を提供すると共に、併せて、これを細径パイプに挿通させる紐挿通法、さらに、上記紐を用いて、空気圧送用パイプケーブルのパイプ中に光ケーブルをスームズに挿通させるケーブルの空気圧送法を提供せんとするものである。
【００１０】
【課題を解決するための手段】
請求項１記載の本発明は、抗張力体繊維からなる線条体の外周に発泡樹脂層を施してなることを特徴とする牽引用紐にある。
【００１１】
請求項２記載の本発明は、前記請求項１記載の牽引用紐を、空気圧送法により空気流と共に、細径パイプに挿通させることを特徴とする紐挿通法にある。
【００１２】
請求項３記載の本発明は、前記請求項１記載の牽引用紐を、空気圧送法により空気流と共に、細径パイプに挿通させた後、当該挿通された牽引用紐の終端をケーブルの先端に結び付け、前記牽引用紐を牽引すると同時に、前記細径パイプに導かれたケーブルを、空気圧送法により空気流と共に挿通させることを特徴とするケーブルの空気圧送法にある。
【００１３】
請求項４記載の本発明は、前記ケーブルが、光ケーブルであることを特徴とする請求項３記載のケーブルの空気圧送法にある。
【００１４】
【発明の実施の形態】
図１は、本発明に係る牽引用紐の一実施例を示したものである。この牽引用紐１０は、アラミド樹脂繊維などの抗張力体繊維からなる線条体１１の外周に、発泡ポリエチレン、発泡ポリスチロール、発泡ポリプロピレンなどの発泡樹脂層１２を施してなる。
【００１５】
そして、紐全体の外径は、挿通する細径パイプの関係で適宜設定し得るが、空気圧送用パイプケーブルで用いる場合には、このケーブルのパイプ内径が、通常約６ｍｍ程度であるので、約１．５ｍｍ程度とすればよい。この外径が１．５ｍｍ程度の場合、線条体部分の外径は約０．５ｍｍ、発泡樹脂層の層厚は約０．５ｍｍ程度となる。また、線条体１１の強度も、牽引対象によって適宜変え得るが、光ファイバユニットの牽引用として、アラミド樹脂繊維などを用いるときには、約３２００ｄｔｅｘ程度のものとすればよい。
【００１６】
この牽引用紐１０の場合、引張り強度は、内部の線条体１１によって負担される一方、この線条体１１にコーティングされた発泡樹脂層１２によってある程度の伸直性が確保される。そして、この牽引用紐１０を、例えば空気圧送用パイプケーブルの牽引用紐として用いる場合、上記のように、全体の外径を約１．５ｍｍ程度と細くしてあるため、専有スペースが小さくてよく、また、その両構成部分がいずれも樹脂製で、さらに、外層部分が発泡層としたあるため、優れた軽量化が得られる。
【００１７】
従って、この牽引用紐１０を、図２に示すように、細径パイプ２０が、内径が６ｍｍ程度の空気圧送用パイプであって、かつ、そのルート長さが相当長くとも、或いは、ルート中にかなりの高低差や曲がりなどがあっても、空気圧送法のみで、何ら問題なく、スムーズに挿通させることができる。つまり、この牽引用紐１０を用いれば、空気圧送法により、空気流と共に、細径パイプにスムーズに挿通させることができる、優れた紐挿通法を提供することができる。
【００１８】
図３〜図４は、本発明に係るケーブルの空気圧送法の一実施例を示したものである。この方法では、先ず、上記図１に示した牽引用紐１０を、図２に示す方法と同様にして、空気圧送用パイプケーブルの空気圧送用パイプ２０中に、空気圧送法により、空気流と共に、挿通させる。
【００１９】
次に、挿通された牽引用紐１０の終端を、光ファイバユニットなどの光ケーブル３０の先端に結合させる（図３）。この結合方法は特に限定されないが、空気圧送用パイプ２０は、通常その内径が約６ｍｍ程度と細いため、結合部分の外径が膨らまないようにすることが望ましい。このため、例えば、牽引用紐１０の口出しされた線条体１１を光ケーブル３０の端末部に巻き付けて、接着剤４０などで固定すればよい。
【００２０】
或いは、図５に示すように、薄い金属筒体や樋枠体などからなるクリップ部材５０を、牽引用紐１０の終端と光ケーブル３０の先端間に跨がって嵌め込み、これをかしめ潰して固定することもできる。勿論、パイプの内径に対して、光ケーブル外径寸法が十分に小さい場合には、単に牽引用紐１０の終端を、光ケーブルの先端に結び付けて結合させてもよい。
【００２１】
さらには、図６に示した如き構造の光ケーブル１００において、複数本の光ファイバ心線１１０の外方に、これを包み込むようにして、介装させたプラスチックヤーン、有機系繊維、又は無機系繊維などからなる介在体１２０に、牽引用紐１０の口出しされた線条体１１を結束させてもよい。なお、複数本の光ファイバ心線１１０は、相互に撚り合わせることなく集合させた、単心タイプの光ファイバ心線であり、また、１３０は介在体１２０の外方に被覆された、ポリアミド樹脂などからなる内部被覆、１４０は最外装に施された発泡ポリエチレンなどからなる外被である。
【００２２】
このようにして、牽引用紐１０の終端を光ケーブル３０の先端に結合させたら、図４に示すように、牽引用紐１０を牽引すると同時に、空気圧送用パイプ２０に導かれた光ケーブル３０を、空気圧送法により、空気流と共に挿通させばよい。これにより、光ケーブル３０は、牽引用紐１０による牽引力と空気流による推進力の両方により圧送されるため、極めてスムーズな挿通が得られる。
【００２３】
〈実施例１〉
図１と同構造の外径が約１．５ｍｍの牽引用紐１０を、空気圧送法により、垂直に布設された空気圧送用パイプケーブルのパイプ（内径が約６ｍｍ）中に挿通させたところ、空気圧が１ＭＰａで、長さ１０００ｍに渡って、何ら問題なく、スムーズに挿通させることが可能であった。
【００２４】
〈実施例２〉
図１と同構造の外径が約１．５ｍｍの牽引用紐１０を用い、これと空気圧送法を併用して、垂直に布設された空気圧送用パイプケーブルのパイプ（内径が約６ｍｍ）中に、上記図６に示した構造の光ファイバユニットからなる光ケーブル１００を挿通させたところ、空気圧が１ＭＰａで、長さ１０００ｍに渡って、スムーズに挿通させることができた。布設後、この光ケーブル１００の光ファイバユニットにおける、各光ファイバ心線１１０（心線数８本）の伝送特性について、調べたところ、すべて０．２５ｄＢ／ｋｍ以下であった。つまり、特に問題のない良好な布設状態が実現していることが判った。
【００２５】
【発明の効果】
以上の説明から明らかなように、本発明に係る牽引用紐によると、抗張力体繊維からなる線条体の外周に発泡樹脂層を施してなるものであるため、必要とされる強度と適度の伸直性を備えた、優れた牽引用の紐を得ることができる。
また、用途に応じて、例えば空気圧送用パイプケーブルのための牽引用紐として用いる場合には、外径を細くして、軽量化することもできる。
【００２６】
本発明に係る紐挿通法によると、上記した牽引用紐を用いることで、空気圧送法のみで、空気圧送用パイプケーブルなどの細径パイプにスムーズに挿通させることができる。この際、ルート長さがかなり長くとも、或いは段差などの高低差や曲がりなどがかなり大きくとも、用いる牽引用紐の適度の伸直性と、細い外径、及び軽量化によって、スムーズな挿通が可能となる。
【００２７】
本発明に係るケーブルの空気圧送法によると、上記牽引用紐と空気圧送法とが併用されるため、牽引用紐による牽引力と空気流による推進力の両方により、極めてスムーズな挿通が得られる。
【図面の簡単な説明】
【図１】本発明に係る牽引用紐の一実施例を示した縦断面図である。
【図２】図１の牽引用紐を用いた本発明に係る紐挿通法の一例の途中を示した部分縦断説明図である。
【図３】本発明に係るケーブルの空気圧送法による工程の一例を示した部分縦断説明図である。
【図４】本発明に係るケーブルの空気圧送法による工程の他例を示した部分縦断説明図である。
【図５】本発明に係るケーブルの空気圧送法による工程の他例を示した部分縦断説明図である。
【図６】本発明に係るケーブルの空気圧送法において挿通される光ケーブルの一例を示した縦断面図である。
【符号の説明】
１０                牽引用紐
１１                線条体
１２                発泡樹脂層
２０                細径パイプ
３０                光ケーブル
１００              光ケーブル（空気圧送用パイプケーブル）
【図１】
2004246176.tif 000003
【図２】
2004246176.tif 000004
【図３】
2004246176.tif 000005
【図４】
2004246176.tif 000006
【図５】
2004246176.tif 000007
【図６】
2004246176.tif 000008